(57)【特許請求の範囲】
【請求項１】
継手支持部とパイプ支持部を構成し、これらの支持部を相対的に進退可能に構成すると共に、夫々の支持部に継手と接続すべきパイプ端部を支持した状態において、手動操作機構により継手を、対向して支持したパイプ端面に向かって前進させて、継手の嵌入支持部をパイプ内に嵌入させる機構において、継手は直管部の両側に嵌入支持部を設けて、硬質パイプ同士を継手両側の嵌入支持部によって結合可能とし、直管部の周囲に鍔を構成すると共に、鍔の外周に溝を形成し、継手の支持部には、この溝に係合するＶ字状開口を有する係合支持板を構成したことを特徴とする継手の嵌入支持部の硬質パイプへの嵌入機構
【請求項２】
嵌入支持部は、竹の子状の凹凸部を形成したことを特徴とする請求項１記載の継手の嵌入支持部の硬質パイプへの嵌入機構
【請求項３】
硬質パイプは架橋低密度ポリスチレン等の硬質プラスチックパイプである請求項１記載の継手の嵌入支持部の硬質パイプへの嵌入機構
【請求項４】
直管部の両側に嵌入支持部を有し、直管部の周囲に鍔を構成すると共に、鍔の外周に溝を形成したことを特徴とする硬質パイプ接続用継手
【発明の詳細な説明】
【０００１】
【発明の属する技術分野】
本発明は、継手の嵌入支持部を硬質パイプに嵌入するための機構及び硬質パイプ接続用継手に関するものである。
【０００２】
【従来の技術】
例えば温水式床暖房システムでは、温水パイプを設けた温水マットを床仕上材の下側に設置し、熱源機からの温水を温水パイプに流して床暖房を行う構成としている。温水マットは、発泡ポリエチレンや発泡ポリスチレン等で構成した板状体の上面に、温水パイプを装着して蛇行経路を構成するための装着溝を形成し、この装着溝に架橋低密度ポリエチレン等の硬質の温水パイプを装着した構成を基本構成としており、これを適数接続することにより所望の広さの床暖房面積を確保している。
このようなシステムにおいては、継手により温水パイプを接続する個所が多くあり、その作業の効率化が望まれている。
【０００３】
そのために継手の嵌入支持部を硬質パイプに嵌入するための工具が従来から開発されている。図５、図６に示したものは、その従来例を示すもので、これは特開平６−１８２６７５号公報に記載されているものである。
これを簡単に説明すると、この工具は、把握部１と一体に構成した本体枠２にレバー３とパイプ支持部４を設けると共に、先端側に継手支持部５を設けた作動杆６を進退可能に支持している。作動杆６には鋸歯７を形成すると共に、本体枠２には、この鋸歯７を要素とする爪送り機構を構成し、把握部１を握り、レバー３の回動操作を繰り返すことにより爪送り機構を動作させて継手支持部５により支持している継手８がパイプ支持部４に支持されている硬質パイプ９方向に前進するように作動杆６を駆動する構成である。尚、符号１０は爪送り機構の動作解除操作部である。
継手支持部５は継手８の形態に応じて構成するもので、図の例では、継手８はナット部１１と嵌入支持部１２が一体化された構成であるため、継手支持部５は継手８のナット部１１側を嵌合する突出部として構成している。
【０００４】
ところで継手８には、上述した形態の他、直管部１３の両側に嵌入支持部１２を有する形態のものがあり、このような形態の継手８では、継手支持部５に係合して支持するための何らかの突出部が必要であり、このために従来は、図７に示すように、直管部１３の外周に溝１４を形成し、この溝１４にＥ形止め輪１５を嵌めて突出部を構成していた。そして継手支持部５はこのＥ形止め輪１５を係合する穴等の形態として構成していた。
【０００５】
【発明が解決しようとする課題】
溝にＥ形止め輪を嵌める作業は比較的面倒であり、また別部材が必要であることから継手がコスト高である。
またＥ形止め輪を継手支持部の穴等に係合する作業も比較的面倒である。
Ｅ型止め輪は、硬質パイプの接続作業後に取り外すのであるが、その取り外し作業が面倒であると共に、取り外したＥ型止め輪の処置も面倒である。
本発明はこのような課題を解決することを目的とするものである。
【０００６】
【課題を解決するための手段】
上述した課題を解決するために本発明では、継手支持部とパイプ支持部を構成し、これらの支持部を相対的に進退可能に構成すると共に、夫々の支持部に継手と接続すべきパイプ端部を支持した状態において、手動操作機構により継手を、対向して支持したパイプ端面に向かって前進させて、継手の嵌入支持部をパイプ内に嵌入させる機構において、継手は直管部の両側に嵌入支持部を設けて、硬質パイプ同士を継手両側の嵌入支持部によって結合可能とし、直管部の周囲に鍔を構成すると共に、鍔の外周に溝を形成し、継手の支持部には、この溝に係合するＶ字状開口を有する係合支持板を構成した継手の嵌入支持部の硬質パイプへの嵌入機構を提案するものである。
【０００７】
以上の構成においては、嵌入支持部は、竹の子状の凹凸部を形成したものとすることができ、また硬質パイプは架橋低密度ポリスチレン等の硬質プラスチックパイプとすることができる。
【０００８】
また本発明では、直管部の両側に嵌入支持部を有し、直管部の周囲に鍔を構成すると共に、鍔の外周に溝を形成した硬質パイプ接続用継手を提案するものである。
【０００９】
以上の本発明によれば、継手を係合支持板のＶ字状開口内に上から入れ、鍔の外周の溝を係合支持板のＶ字状開口内の部位に係合する操作だけで、継手を所定位置に保持することができ、嵌入支持部を硬質パイプ内に嵌入する際の荷重を支持することができる。
【００１０】
【発明の実施の形態】
次に本発明の実施の形態を図を参照して説明する。
図１、図２は本発明に係る継手の実施の形態を示すもので、この継手１０１は直管部１０２の両側に嵌入支持部１０３，１０３を有する構成である。そして直管部１０２には、鍔１０４を構成し、鍔１０４の外周に溝１０５を構成している。嵌入支持部１０３は、図２に示すように、硬質パイプ１０６を嵌入した場合に抜け止めとなり、水密性を確保するための竹の子状の凹凸部を形成している。
【００１１】
図３は、継手の嵌入機構における継手支持部の近傍の個所を示すもので、この嵌入機構は、例えば従来例として示した工具のように、継手支持部とパイプ支持部を構成し、これらの支持部を相対的に進退可能に構成すると共に、夫々の支持部に継手とパイプを支持した状態において、手動操作機構により継手支持部をパイプ支持部に向かって前進させて継手の嵌入支持部を硬質パイプ内に嵌入させるものである。
符号１０７は作動杆で、この作動杆１０７は図５、図６の構成における作動杆６に相当するものである。この作動杆１０７の端部から上方にブラケット１０８を突設しており、このブラケット１０８の上部にはＵ字状開口１０９を形成している。
符号１１０は係合支持板であり、この係合支持板１１０はＶ字状開口１１１を形成して、このＶ字状開口１１１が、ブラケット１０８の上部のＵ字状開口１０９に重なるようにビス１１２により固定している。この場合、Ｖ字状開口１１１の幅は、Ｕ字状開口１０９の幅よりも狭く、従ってＶ字状開口１１１の端縁はＵ字状開口１０９の内面よりも内側に位置している。
【００１２】
以上の構成において、図３に示すように、継手１０１を、係合支持板１１０のＶ字状開口１１１内に上から入れ、鍔１０４の外周の溝１０５を係合支持板１１０のＶ字状開口１１１内の部位に係合すると、継手１０１を所定位置に保持することができ、従って、図５、図６に示す工具につき説明したと同様に、継手１０１の嵌入支持部１０３を硬質パイプ１０６内に嵌入する際の荷重を支持することができる。
【００１３】
本発明では、このようにＶ字状開口に鍔の外周の溝を係合して支持するので、作業が容易であると共に、異なった径の継手にも適用することができる。
【００１４】
尚、本発明に係る継手及び継手の嵌入機構は、上述したような温水式床暖房システムの温水パイプの接続に利用する他、適宜の用途の硬質パイプの接続に利用できることは云うまでもないことである。
【００１５】
【発明の効果】
本発明は以上のとおりであるので、次のような効果がある。
ａ．直管部の両側に硬質パイプへの嵌入支持部を有する継手において、直管部に形成した溝にＥ型止め輪を嵌める構成のものと比較して製作が容易で低コストである。
ｂ．継手は、Ｖ字状開口に鍔の外周の溝を係合して支持するので、作業が容易であると共に、異なった径の継手にも適用することができる。
ｃ．硬質パイプの接続作業後に取り外すような部材がないので、取り外した部材の処置に困ることがない。
ｄ．以上のことから硬質パイプの接続作業を効率的に行うことができる。
【図面の簡単な説明】
【図１】  本発明に係る継手の実施の形態を示す斜視図である。
【図２】  本発明に係る継手の実施の形態を、硬質パイプと共に表した正面図である。
【図３】  継手の嵌入機構における継手支持部の近傍の個所と、継手の装着動作を示す斜視図である。
【図４】  継手を係合支持板のＶ字状開口に係合した状態を示す断面図である。
【図５】  継手の嵌入工具の一例を示す正面図である。
【図６】  継手を嵌入した状態における嵌入工具の一例を示す正面図である。
【図７】  直管部の両側に嵌入支持部を有する継手において嵌入工具を使用するために従来の対策を施した継手を示す斜視図である。
【符号の説明】
１０１                継手
１０２                直管部
１０３                嵌入支持部
１０４                鍔
１０５                溝
１０６                硬質パイプ
１０７                作動杆
１０８                ブラケット
１０９                Ｕ字状開口
１１０                係合支持板
１１１                Ｖ字状開口
１１２                ビス
１                    把握部
２                    本体枠
３                    レバー
４                    パイプ支持部
５                    継手支持部
６                    作動杆
７                    鋸歯
８                    継手
９                    硬質パイプ
１０                  動作解除操作部
１１                  ナット部
１２                  嵌入支持部
１３                  直管部
１４                  溝
１５                  Ｅ型止め輪
【図１】
0003755710.tif 000002
【図２】
0003755710.tif 000003
【図３】
0003755710.tif 000004
【図４】
0003755710.tif 000005
【図５】
0003755710.tif 000006
【図６】
0003755710.tif 000007
【図７】
0003755710.tif 000008